(57)【要約】  【課題】男女兼用の洋便器において、便座を利用して用後、該便座が自動的に立上り状態に復帰できるようにする。  【解決手段】本発明は上記目的を達成するために上面開口の便器本体２と、該便器本体２の後端部に枢着された開閉自在の蓋体３と、該蓋体３と同時又は格別に上下動自在に設けられ、且つ、該便器本体２の開口周縁部２ｂに載置可能に形成された便座４とから成る洋便器において、前記便座４は前記蓋体３の内側面に当接され、且つ、該蓋体３の前記枢着部にスプリング１０を介して緩く枢着され、該便座使用後は、自動的に該スプリング１０の付勢により上方へ回動して蓋体内側面に当接されるように構成されたことを特徴とする洋便器を提供する。【選択図】図２
2010142283.tif 000002
【特許請求の範囲】
【請求項１】
上面開口の便器本体と、該便器本体の後端部に枢着された開閉自在の蓋体と、該蓋体と同時又は格別に上下動自在に設けられ、且つ、該便器本体の開口周縁部に載置可能に形成された便座とから成る洋便器において、
前記便座は前記蓋体の内側面に当接され、且つ、該蓋体の前記枢着部にスプリングを介して緩く枢着され、該便座使用後は、自動的に該スプリングの付勢により上方へ回動して蓋体内側面に当接されるように構成されたことを特徴とする洋便器。
【請求項２】
上記洋便器の不使用時であって、立上っている上記蓋体を蓋装する際には、該蓋体の上端部を軽く前方へ押圧することにより、該蓋体の重量で、該蓋体は上記便座を伴って前方へ回動して、該蓋体が前記便器本体の開口部を蓋装できるように構成されたことを特徴とする請求項１記載の洋便器。
【発明の詳細な説明】
【技術分野】
【０００１】
本発明は洋便器に関するものであり、特に、便座を利用した用便後は該便座が後端部の枢着部を回動支点として自動的に回動し、既に便器本体の開口部が開放され、立上っている蓋体に重なるように形成された洋便器に関するものである。
【背景技術】
【０００２】
従来、此種洋便器として、例えば、特許文献１に記載されているように上面開口の便器本体の後端部に該開口部を蓋装する蓋体が枢着され、且つ、該蓋体の内側面（前面）に重ねることができると共に前記便器本体の開口縁部に載置される便座が該蓋体の枢着部に枢着されて成る洋便器が知られている。
【０００３】
斯くして、男性の小便用として使用する場合は、前記便座は手動により上方へ回動して用便に供するように構成されている。
【特許文献１】特開２００１−１４０３２８号
【発明の開示】
【発明が解決しようとする課題】
【０００４】
上記従来の洋便器は、蓋体と便座とが各別に手動作により回動する。そこで、蓋体が便器開口部を閉塞している状態において、女性が用便し、又は男性が大便をする場合は、前記蓋体のみを開放し、便座を利用して用便する。該用便後は、該便座は便器開口周縁部に載置された状態を維持している。そこで、男性が小便をする場合は往々にして前記便座を便器開口部周縁に載置した状態のまま小便することになり、該小便が該便座にかかり、極めて不衛生となる。
【０００５】
そこで、洋便器において、便座を利用して用便し、そして用便終了後は手動によらず該便座が回動し、開放されている蓋体に重なるようにするために解決されるべき技術的課題が生じてくるのであり、本発明は該課題を解決することを目的とする。
【課題を解決するための手段】
【０００６】
本発明は上記目的を達成するために提案されたものであり、請求項１記載の発明は上面開口の便器本体と、該便器本体の後端部に枢着された開閉自在の蓋体と、該蓋体と同時又は格別に上下動自在に設けられ、且つ、該便器本体の開口周縁部に載置可能に形成された便座とから成る男女兼用洋便器において、前記便座は前記蓋体の内側面に当接され、且つ、該蓋体の前記枢着部にスプリングを介して緩く枢着され、該便座使用後は、自動的に該スプリングの付勢により上方へ回動して蓋体内側面に当接されるように構成されたことを特徴とする洋便器を提供する。
【０００７】
この構成によれば、洋便器を用い、便座上に着座した状態で用便後、男女が便座を便器開口部周縁部に載置した状態で便室を立去ったときも、該便座はスプリングの付勢により、便器開口周縁部に載置されている状態から自動的に該便座枢着部を回動支点として上方へ回動し、既に、開放されている蓋体に当接する。
【０００８】
又、請求項２記載の発明は上記洋便器の不使用時であって、立上っている上記蓋体を蓋装する際には、該蓋体の上端部を軽く前方へ押圧することにより、該蓋体の重量で、該蓋体は上記便座を伴って前方へ回動して、該蓋体が前記便器本体の開口部を蓋装できるように構成されたことを特徴とする請求項１記載の洋便器を提供する。
【０００９】
この構成によれば、洋便器を使用しないときには、蓋体を前方へ押圧しただけで蓋体の重量により、該蓋体の内側面に当接している便座とともに該蓋体がその枢着部を回動支点として下方へ回動し、そして、該蓋体が便器開口部を閉塞する。
【発明の効果】
【００１０】
請求項１記載の発明は、便座を利用した用便後は、該便座はスプリングの付勢により自動的に上方へ回動し、既に開放されて立上っている蓋体の内側面に当接する。斯くして、男性が小便をする際には便座は既に上方へ回動しているので、該小便によって該便座が汚染されることはなく、極めて、衛生的となる。
【００１１】
請求項２記載の発明は、蓋体及び便座が上方へ枢着部を介して上方へ回動し、立上った状態になっているとき、該蓋体の背面を指頭等により軽く押圧するだけで該蓋体は該蓋体の自重により便座とともに前記枢着部を回動支点として下方へ回動し、便器開口部を閉塞し、便器内への異物の浸入を防止する。
【発明を実施するための最良の形態】
【００１２】
本発明は、男の洋便器において、便座を利用して用便し、そして用便終了後は手動によらず該便座が回動されて開放されている蓋体に重なるようにすると云う目的を達成するために上面開口の便器本体と、該便器本体の後端部に枢着された開閉自在の蓋体と、該蓋体と同時又は格別に上下動自在に設けられ、且つ、該便器本体の開口周縁部に載置可能に形成された便座とから成る洋便器において、前記便座は前記蓋体の内側面に当接され、且つ、該蓋体の前記枢着部にスプリングを介して緩く枢着され、該便座使用後は、自動的に該スプリングの付勢により上方へ回動して蓋体内側面に当接されるように構成したことにより実現した。
【実施例】
【００１３】
以下、本発明の好適な実施例を図１乃至図４に従って説明する。
【００１４】
図は本発明の洋便器１を示す。図において、洋便器１は便器本体２、蓋体３、便座４、貯水タンク５等から成る。
【００１５】
上記洋便器１は便器本体２の上端面後方両側部に軸受ボス６，６が突設されており、更に、該軸受ボス６，６間に所定のスペースＳ，Ｓを有して筒状の軸受部７が蓋体３の下端面中間部に設けられ、そして、前記軸受ボス６，６間に架設された軸８を該軸受部７に遊挿して前記蓋体３が該軸８を回転支点として上下動可能に形成されている。而して、該蓋体３が便器本体２の開口部２ａを開放したとき、後方に設けられている貯水タンク５の前面に立上った状態（やや後方へ傾いた状態）で維持されるように構成されている。勿論、該蓋体３は便器本体２の前記開口部２ａを閉塞して蓋装できるように構成されていることは当然である。
【００１６】
又、前記便座４は図２及び図３に示すように、便器本体２に突設されている前記軸受ボス６，６及び蓋体３の下端部に設けた軸受部７との間、即ち、前記スペースＳ，Ｓに夫々便座４の後端部両側に設けられている軸支片９，９を嵌装し、更に、該軸支片９，９には夫々前記軸８の挿通孔が開穿されており、そして、前記軸受ボス部６，６間に架設されている軸８を遊挿し、該軸８を回転支点として、該便座４が上下回動自在に形成されている。又、該便座４は前記蓋体３の前面に当接して立上った状態で維持されることができ、更に、該蓋体３に当接した状態で便器本体２に設けた開口周縁部２ｂ上に載置することができ、且つ、該便座４は蓋体３とは別々に開閉することもできるように構成されている。
【００１７】
上記構成は洋便器において汎用されているものである。従って、便座４を利用して用便
しようとするときには前記蓋体３は当然上方へ立上げ、便器本体２の開口部２ａを開放することになる。このような状態で用便した後、即ち、男性の場合は大便、女性の場合は大小の何れかの用便を為した後は、人は往々にして該便座４を前記開口周縁部２ｂに載置したままで便室から立去ることがある。次に、例えば、男性が小便をしようとして便室に立入り、小便する場合、前記便座４が前記開口周縁部２ｂに載置された状態で小便することがある。然るときは、便座４に散水されて極めて不衛生を招来することもしばしば見受けられる。
【００１８】
本発明は上記欠陥に鑑み、便座４を開口周縁部２ｂに載置した状態で用便を済ませた後は、該便座４は自動的に前記開口周縁部２ｂから離脱して立上り、既に立上った状態に維持されている蓋体３の前面に当接するように該便座４に設けた前記両側の軸支片９，９部位にて、前記便器本体２と便座４間に夫々スプリング１０，１０を装着して、該スプリング１０，１０の付勢により、該便座４が前記軸８を回動支点として上方へ回動し、前記立上り状態を自然に維持できるように構成されている。
【００１９】
更に又、前記スプリング１０，１０は便座４が自動的に前記軸８を回動支点として上方へ回動し、蓋体３の前面に当接できる程度の強度を有するものであり、且つ、蓋体３と共に後方の貯水タンク５にもたれる状態、即ち、該蓋体３が便座４と共に、垂直状態から後方の貯水タンク５にもたれるようにやや傾いた状態で維持されるように形成されるのである。そこで、該便座４が蓋体３の前面に当接し、立上った状態（やや後方へ傾いた状態）で指頭等により該蓋体３を前方へ押圧すれば、該蓋体３は前記軸８を回動支点として前方下方へ回動して便器本体２の開口部２ａを閉塞する。このとき、該蓋体３はその自重により前記開口部２ａを閉塞すべく前記軸８を回動支点として下方へ自動的に回動して前記開口部２ａを蓋装するのであるが、このとき、前記便座４の軸支片９，９に設けられている前記スプリング１０，１０の付勢に抗し、蓋体３の自重により該蓋体３が便座４と共に軸８を回動支点として下方へ回動し、該便座４は便器本体２の前記開口周縁部２ｂ上に載置し、蓋体３は便器本体２の開口部２ａ全体を蓋装することになる。斯くして、従前は手で該蓋体３の蓋装が完了するまで該蓋体３を把持しなければならなかったが、本発明は該蓋体の上端部を軽く前方へ押圧するだけで、その後は蓋体３の自重により緩慢且つ、自動的に前記蓋装状態を実行することができるので、極めて便利となった。
【００２０】
又、蓋体３及び便座４の前記枢着部の構成は、前記実施例に制限されるものでなく、本発明の精神を逸脱しない限り、種々の改変を為すことができ、そして、本発明が該改変されたものに及ぶことは当然である。
【図面の簡単な説明】
【００２１】
【図１】本発明に係る男女用の洋便器を示し、その斜視図。
【図２】図１の洋便器であって蓋体及び便座を開放した状態を示す平面図。
【図３】図２において、便座を便器本体の開口周縁部に載置した状態を示す平面図。
【図４】図３のＡ−Ａ線断面図。
【符号の説明】
【００２２】
１      洋便器
２      便器本体
２ａ    開口部
２ｂ    開口周縁部
３      蓋体
４      便座
５      貯水タンク
６      軸受ボス
７      軸受部
８      軸
９      軸支片
１０      スプリング
【図１】
2010142283.tif 000003
【図２】
2010142283.tif 000004
【図３】
2010142283.tif 000005
【図４】
2010142283.tif 000006